(57)【要約】【課題】モータ電流に脈動成分が重畳されるようにモータ（30）を制御する脈動制御を行うモータ制御装置（10）において、脈動制御の制御量を増大させる。【解決手段】モータ制御装置（10）は、複数のスイッチ素子（14）で構成されて、接続されるモータ（30）に交流を出力するインバータ回路（25）と、モータ（30）を流れるモータ電流に脈動成分が重畳されるようにインバータ回路（25）のスイッチ素子（14）を制御する脈動制御を行う制御部（41）とを備えている。モータ制御装置（10）は、スイッチ素子（14）がワイドバンドギャップ半導体素子である。【選択図】図１
2008061421.tif 000002
【特許請求の範囲】
【請求項１】
複数のスイッチ素子（14）で構成されて、接続されるモータ（30）に交流を出力するインバータ回路（25）と、
上記モータ（30）を流れるモータ電流に脈動成分が重畳されるように上記インバータ回路（25）のスイッチ素子（14）を制御する脈動制御を行う制御部（41）とを備えるモータ制御装置であって、
上記スイッチ素子（14）は、ワイドバンドギャップ半導体素子であることを特徴とするモータ制御装置。
【請求項２】
請求項１において、
上記制御部（41）が行う脈動制御は、上記モータ（30）の一回転中に発生する負荷トルクの脈動に応じて該モータ（30）の出力トルクを変動させるトルク制御であることを特徴とするモータ制御装置。
【請求項３】
請求項２において、
流体を圧縮するためのシリンダが１つの１シリンダ圧縮機（50）を駆動させるモータ（30）を制御することを特徴とするモータ制御装置。
【請求項４】
請求項１において、
上記制御部（41）が行う脈動制御は、上記モータ（30）の軸出力トルクが平滑化されるように上記モータ電流を脈動させる軸出力平滑制御であることを特徴とするモータ制御装置。
【請求項５】
交流電源（31）からの交流電圧を整流する整流回路（20）と、
上記整流回路（20）の出力を受けてコンデンサ（19）の両端から脈動を有する整流電圧を出力するコンデンサ回路（29）と、
複数のスイッチ素子（14）で構成され、上記整流電圧を受けて交流電流をモータ（30）へ出力するインバータ回路（25）とを備えるモータ制御装置であって、
上記スイッチ素子（14）は、ワイドバンドギャップ半導体素子であることを特徴とするモータ制御装置。
【請求項６】
請求項１乃至５の何れか１つにおいて、
上記スイッチ素子（14）は、ＳｉＣ素子であることを特徴とするモータ制御装置。
【発明の詳細な説明】
【技術分野】
【０００１】
本発明は、モータを流れる電流に脈動成分が重畳されるようにモータを制御するモータ制御装置に関するものである。
【背景技術】
【０００２】
従来より、モータを流れるモータ電流に脈動成分が重畳されるようにモータを制御するモータ制御装置が知られている。この種のモータ制御装置では、例えばモータの回転速度を一定に保つなどの一定の目的に従ってインバータ回路のスイッチ素子を制御すると、モータ電流に脈動成分が重畳される。この種のモータ制御装置の一例が、特許文献１に開示されている。
【０００３】
具体的に、特許文献１のモータ制御装置は、いわゆるトルク制御を行う圧縮機用モータの制御装置として構成されている。このモータ制御装置は、圧縮機における流体の圧縮過程で脈動するモータの負荷トルクの変動パターンに応じて印加する電圧を変化させる変換器を備えてている。このモータ制御装置では、変換器がモータの負荷トルクに応じてモータに印加する電圧を変化させてモータの出力トルクを変動させると、モータ電流にモータの負荷トルクの脈動成分が重畳される。
【特許文献１】特開平２−１７８８４号公報
【発明の開示】
【発明が解決しようとする課題】
【０００４】
ところで、モータ制御装置では、一般的に、全制御領域における電流の最大実効値を考慮してスイッチ素子の実効定格電流電流が決定される。そして、ハンダやモールド材など周囲の耐熱温度等を考慮して、実効定格電流からスイッチ素子の電流容量が決定される。また、スイッチ素子のピーク定格電流は、スイッチ素子の耐熱温度を超えないようにスイッチ素子の電流容量から決定される。スイッチ素子の耐熱温度はハンダやモールド材など周囲の耐熱温度等よりも高いのに、スイッチ素子のピーク定格電流がハンダやモールド材など周囲の耐熱温度ではなく素子自体の耐熱温度を超えないように決定されるのは、スイッチ素子の温度が瞬間的に上昇しても周囲の温度はそれほど大きく上昇しないためである。
【０００５】
一方、モータ電流に脈動成分が重畳されるモータ制御装置では、モータ電流に脈動成分が重畳されるようにモータを制御する脈動制御を行うと、脈動成分の山の波形が重畳される部分でモータ電流が増大し、モータ電流のピーク値が増大する。また、モータ制御装置は、スイッチ素子を流れる電流のピーク値がスイッチ素子のピーク定格電流を超えないように、モータ電流のピーク値がスイッチ素子のピーク定格電流に基づいて制御される。
【０００６】
しかし、従来のモータ制御装置は、インバータ回路のスイッチ素子がＳｉ素子である。Ｓｉ素子は、耐熱温度が約１５０℃の素子であり、実効定格電流から決定した電流容量ではピーク定格電流が比較的小さい。このため、モータ電流のピーク値が増大する脈動制御においては、スイッチ素子の電流のピーク値がそのピーク定格電流を超えないように制御すると、十分な脈動制御を行うことができない場合がある。つまり、脈動制御におけるモータ電流のピーク値がスイッチ素子のピーク定格電流により制限されて、１００％の制御量で脈動制御を行うことができない場合がある。
【０００７】
本発明は、かかる点に鑑みてなされたものであり、その目的は、モータ電流に脈動成分が重畳されるようにモータを制御する脈動制御を行うモータ制御装置において、脈動制御の制御量を増大させることにある。
【課題を解決するための手段】
【０００８】
第１の発明は、複数のスイッチ素子（14）で構成されて、接続されるモータ（30）に交流を出力するインバータ回路（25）と、上記モータ（30）を流れるモータ電流に脈動成分が重畳されるように上記インバータ回路（25）のスイッチ素子（14）を制御する脈動制御を行う制御部（41）とを備えるモータ制御装置（10）を対象とする。そして、このモータ制御装置（10）は、上記スイッチ素子（14）が、ワイドバンドギャップ半導体素子である。
【０００９】
第１の発明では、インバータ回路（25）を構成するスイッチ素子（14）が、ワイドバンドギャップ半導体素子である。ワイドバンドギャップ半導体素子は、通常用いられるＳｉ素子に比べてバンドギャップが大きい半導体素子であり、耐熱温度が高い半導体素子である。上述したように、スイッチ素子（14）のピーク定格電流は、スイッチ素子の耐熱温度を超えないように決定される。このため、耐熱温度が高いワイドバンドギャップ半導体素子は、ピーク定格電流を従来のＳｉ素子に比べて大きくすることができる。
【００１０】
第２の発明は、上記第１の発明において、上記制御部（41）が行う脈動制御が、上記モータ（30）の一回転中に発生する負荷トルクの脈動に応じて該モータ（30）の出力トルクを変動させるトルク制御である。
【００１１】
第２の発明では、制御部（41）が、モータ（30）の負荷トルクの脈動に応じてモータ（30）の出力トルクを変動させるトルク制御を脈動制御として行う。制御部（41）が、トルク制御を行うと、モータ電流にモータ（30）の負荷トルクの脈動成分が重畳されて、モータ電流のピーク値が増大する。
【００１２】
第３の発明は、上記第２の発明において、流体を圧縮するためのシリンダが１つの１シリンダ圧縮機（50）を駆動させるモータ（30）を制御する。
【００１３】
第３の発明では、制御部（41）が、１シリンダ圧縮機（50）を駆動させるモータ（30）に対してトルク制御を行う。１シリンダ圧縮機（50）は、複数シリンダの圧縮機に比べてモータ（30）の負荷トルクの脈動が大きく、トルク制御を行わなければ圧縮機（50）の振動が比較的大きくなるので、トルク制御の必要性が高い。
【００１４】
第４の発明は、上記第１の発明において、上記制御部（41）が行う脈動制御が、上記モータ（30）の軸出力トルクが平滑化されるように上記モータ電流を脈動させる軸出力平滑制御である。
【００１５】
第４の発明では、制御部（41）が、モータ（30）の軸出力トルクが平滑化されるようにモータ電流を脈動させる軸出力平滑制御を脈動制御として行う。軸出力平滑制御では、制御部（41）が、例えばコギングトルク、空間高調波、時間高調波などのモータ（30）側の脈動成分によるモータ（30）の軸出力トルクの脈動を平滑化するために、モータ電流を脈動させる。制御部（41）が、この軸出力平滑制御を行うと、モータ電流にモータ（30）側の脈動成分が重畳されて、モータ電流のピーク値が増大する。
【００１６】
第５の発明は、交流電源（31）からの交流電圧を整流する整流回路（20）と、上記整流回路（20）の出力を受けてコンデンサ（19）の両端から脈動を有する整流電圧を出力するコンデンサ回路（29）と、複数のスイッチ素子（14）で構成され、上記整流電圧を受けて交流電流をモータ（30）へ出力するインバータ回路（25）とを備えるモータ制御装置（10）を対象とする。そして、このモータ制御装置（10）は、上記スイッチ素子（14）が、ワイドバンドギャップ半導体素子である。
【００１７】
第５の発明では、インバータ回路（25）に、脈動を有する整流電圧がほとんど平滑化されずに整流回路（20）から入力される。インバータ回路（25）は、整流電圧を受けて交流電流をモータ（30）へ出力する。この第５の発明では、モータ電流に整流電圧の脈動成分が重畳されて、モータ電流のピーク値が増大する。
【００１８】
第６の発明は、上記第１乃至第５の何れか１つの発明において、上記スイッチ素子（14）が、ＳｉＣ素子である。
【００１９】
第６の発明では、スイッチ素子（14）が、ＳｉＣ素子である。ＳｉＣ素子は、ワイドバンドギャップ半導体素子の一種である。
【発明の効果】
【００２０】
本発明では、スイッチ素子（14）がワイドバンドギャップ半導体素子であり、スイッチ素子（14）のピーク定格電流を従来のＳｉ素子に比べて大きくすることができる。従って、モータ電流のピーク値がスイッチ素子（14）のピーク定格電流による制限を受けにくくなる。このため、脈動制御においてモータ電流のピーク値を増大させることができるので、脈動制御の制御量を増大させることができる。
【００２１】
また、上記第２の発明では、制御部（41）が、脈動制御としてトルク制御を行う。このモータ制御装置（10）では、上述したように、スイッチ素子（14）がワイドバンドギャップ半導体素子であるため、スイッチ素子（14）のピーク定格電流を大きくすることができる。従って、トルク制御においてモータ電流のピーク値を増大させることができるので、トルク制御の制御量を増大させることができる。
【００２２】
また、上記第３の発明では、制御部（41）が、トルク制御の必要性が高い１シリンダ圧縮機（50）のモータ（30）に対してトルク制御を行う。この第３の発明では、上述したように、トルク制御の制御量を増大させることができる。従って、トルク制御の必要性が高い１シリンダ圧縮機（50）の振動を、従来よりも抑制することができる。
【００２３】
また、上記第４の発明では、制御部（41）が、軸出力平滑制御を脈動制御として行う。このモータ制御装置（10）では、上述したように、スイッチ素子（14）がワイドバンドギャップ半導体素子であるため、スイッチ素子（14）のピーク定格電流を大きくすることができる。従って、軸出力平滑制御においてモータ電流のピーク値を増大させることができるので、軸出力平滑制御の制御量を増大させることができる。
【００２４】
また、上記第５の発明では、インバータ回路（25）に脈動電流が入力されるので、モータ電流に脈動電流の脈動成分が重畳される。このモータ制御装置（10）では、上述したように、スイッチ素子（14）がワイドバンドギャップ半導体素子であるため、スイッチ素子（14）のピーク定格電流を大きくすることができる。従って、モータ電流のピーク値を増大させることができるので、モータ制御装置（10）の制御量を増大させることができる。
【発明を実施するための最良の形態】
【００２５】
以下、本発明の実施形態を図面に基づいて詳細に説明する。
【００２６】
《発明の実施形態１》
本発明の実施形態１について説明する。
【００２７】
本実施形態１に係るモータ制御装置（10）の概略構成図を図１に示す。本実施形態１のモータ制御装置（10）は、例えば空気調和装置の冷媒回路に接続される圧縮機（50）のモータ（30）に接続される。なお、以下では、先ず本実施形態１に係るモータ制御装置（10）が接続される圧縮機（50）の構造について説明し、次に本実施形態１に係るモータ制御装置（10）について説明する。
【００２８】
−圧縮機の構造−
本実施形態１に係るモータ制御装置（10）が接続される圧縮機（50）は、いわゆるロータリ圧縮機である。この圧縮機（50）は、流体を圧縮するためのシリンダ（37）を１つ有する１シリンダ圧縮機として構成されている。
【００２９】
圧縮機（50）は、図２に示すように、ケーシング（36）と圧縮機構（35）とモータ（30）とを備えている。ケーシング（36）は、密閉容器状に形成されている。また、ケーシング（36）には、後述するインバータ回路（25）が接続される給電端子（51）が設けられている。圧縮機構（35）は、揺動ピストン型のロータリ圧縮機として構成されている。この圧縮機構（35）では、ピストン（39）の外周面とシリンダ（37）の内周面との間に圧縮室（38）が形成されている。モータ（30）は、例えばＤＣブラシレスモータとして構成されている。
【００３０】
以上の構成により、モータ（30）が起動すると、クランク軸（33）の偏心部に摺動自在に外接するピストン（39）が、シリンダ（37）内で揺動運動を行う。この圧縮機（50）は、クランク軸（33）が１回転する間に、圧縮室（38）内に流体を吸い込み圧縮して吐出する。その際、モータ（30）の負荷トルクが、流体を吸い込み圧縮する過程で徐々に上昇し、圧縮した流体を吐出する過程で徐々に減少する。このように、この圧縮機（50）では、クランク軸（33）が１回転する時間を１周期として、モータ（30）の負荷トルクが周期的に脈動する。
【００３１】
−モータ制御装置の構成−
本実施形態１に係るモータ制御装置（10）は、モータ電流に脈動成分が重畳されるようにモータを制御する脈動制御としてトルク制御を行うように構成されている。モータ制御装置（10）は、図１に示すように、電力変換部（40）と制御部（41）と電流検出部（43）と負荷トルク検出部（42）とを備えている。また、電力変換部（40）は、整流回路（20）と平滑回路（22）とインバータ回路（25）とを備えている。
【００３２】
整流回路（20）は、交流電源（31）からの交流電圧を整流するためのものである。整流回路（20）は、４つのダイオード（12）がブリッジ状に接続されて構成されている。整流回路（20）は、入力側が交流電源（31）に接続される。また、整流回路（20）と平滑回路（22）との間の正極母線には、リアクタ（27）が設けられている。
【００３３】
平滑回路（22）は、整流回路（20）の出力側において正極母線と負極母線との間に接続されている。平滑回路（22）には、整流回路（20）の出力電圧を平滑化するためのコンデンサ（13）が２つ設けられている。２つのコンデンサ（13）は、直列に接続されている。２つのコンデンサ（13）の間は、整流回路（20）におけるダイオード（12）の間に接続されている。
【００３４】
インバータ回路（25）は、多相（本実施形態では三相交流）をモータ（30）に供給するためのものである。インバータ回路（25）では、２つのスイッチ素子（14）が直列に接続された３つの回路が、正極母線と負極母線との間に並列に接続されて構成されている。この３つの回路においてスイッチ素子（14）の間は、モータ（30）の三相コイル（ｕｖｗ）の別々の端子に接続されている。また、各スイッチ素子（14）には、ダイオード（15）が並列に接続されている。スイッチ素子（14）には、例えばパワーＭＯＳＦＥＴ、ＩＧＢＴなどが用いられる。また、スイッチ素子（14）は、ワイドバンドギャップ半導体素子の一種であるＳｉＣ素子として構成されている。ＳｉＣ素子は、脈動制御を行うモータ制御装置に従来用いられていたＳｉ素子に比べてバンドギャップが大きい半導体素子であり、耐熱温度が高い半導体素子である。
【００３５】
ここで、このモータ制御装置（10）では、スイッチ素子（14）の実効定格電流が、全制御領域における電流の最大実効値を考慮して決定されている。そして、スイッチ素子（14）の電流容量が、ハンダやモールド材など周囲の耐熱温度等を考慮して決定されている。また、スイッチ素子（14）のピーク定格電流は、スイッチ素子（14）の耐熱温度を超えないようにスイッチ素子（14）の電流容量から決定されている。スイッチ素子（14）はＳｉ素子に比べて耐熱温度が高いＳｉＣ素子であるため、同じ電流容量のもので比較すると、ＳｉＣ素子のピーク定格電流は従来のＳｉ素子に比べて大きい。
【００３６】
電流検出部（43）は、モータ（30）の電流値であるモータ電流を検出するためのものである。電流検出部（43）は、常にモータ電流を検出することができるように、三相コイル（ｕｖｗ）とインバータ回路（25）との間の３本の電線のうちの少なくとも２本に接続されている。
【００３７】
負荷トルク検出部（42）は、モータ（30）の負荷トルクを検出するためのものである。負荷トルク検出部（42）は、電流検出部（43）が検出するモータ電流に基づいてモータ（30）の負荷トルクを検出するように構成されている。
【００３８】
制御部（41）は、インバータ回路（25）のスイッチ素子（14）に駆動信号を出力してそのスイッチ素子（14）をＯＮ／ＯＦＦするように構成されている。制御部（41）は、スイッチ素子（14）をＯＮ／ＯＦＦすることによりモータ（30）の回転速度や出力トルクを調節する。制御部（41）によるスイッチ素子（14）の制御では、スイッチ素子（14）を流れる電流のピーク値がそのピーク定格電流を超えないようにするために、モータ電流のピーク値がピーク定格電流に基づく上限値を超えないように制限される。
【００３９】
また、制御部（41）は、例えばモータ（30）の低速運転時に、モータ（30）の負荷トルクに応じてモータ（30）の出力トルクを変動させるトルク制御を行うように構成されている。トルク制御動作では、モータ制御部（41）が、スイッチ素子（14）のキャリア周波数内におけるＯＮ時間が調節するために、モータ（30）の負荷トルク変動に応じて、駆動信号における電圧指令や電流指令の変動量を調節する。
【００４０】
−モータ制御装置の動作−
以下に、モータ制御装置（10）における制御部（41）のトルク制御について説明する。なお、制御部（41）には、負荷トルク検出部（42）が検出するモータ（30）の負荷トルクを表す負荷トルク信号と、電流検出部（43）が検出するモータ電流を表すモータ電流信号とが入力される。
【００４１】
まず、制御部（41）は、負荷トルク検出部（42）から負荷トルク信号に基づいて、モータ（30）の負荷トルク変動に応じてモータ（30）の出力トルクが変動するように、駆動信号における電圧指令や電流指令の変動量を調節する。その際は、制御部（41）は、電流検出部（43）からのモータ電流信号を監視しており、モータ電流が上記上限値を超えると判断すると、モータ電流が上記上限値を超えないように電圧指令や電流指令の変動量を補正する。そして、モータ制御部（41）は、電圧指令や電流指令の変動量を調節した（補正した）駆動信号を各スイッチ素子（14）へ出力し、各スイッチ素子（14）をＯＮ／ＯＦＦする。
【００４２】
以上のように、モータ制御装置（10）がトルク制御を行うと、モータ（30）の出力トルクは、図３に示すように、モータ（30）の負荷トルクに同期して変動する。モータ電流にはモータ（30）の負荷トルクの脈動が重畳されるので、モータ電流のピーク値はトルク制御を行わない場合に比べて増大する。
【００４３】
−実施形態１の効果−
本実施形態１では、スイッチ素子（14）がワイドバンドギャップ半導体素子であり、スイッチ素子（14）のピーク定格電流を従来のＳｉ素子に比べて大きくすることができる。従って、モータ電流のピーク値がスイッチ素子（14）のピーク定格電流による制限を受けにくくなる。このため、トルク制御においてモータ電流のピーク値を増大させることができるので、トルク制御の制御量を増大させることができる。
【００４４】
なお、スイッチ素子（14）がＳｉ素子であってもスイッチ素子（14）の電流容量を大きくするとスイッチ素子（14）のピーク定格電流が大きくなるので、トルク制御（脈動制御）の制御量を増大させることが可能である。しかし、スイッチ素子（14）の電流容量を大きくと、スイッチ素子（14）のコストが高くなる上に、スイッチ素子（14）の実効定格電流が大きくなり、電流の実効値に対するマージンが大きくなってしまう。従って、スイッチ素子（14）の電流容量が、電流の実効値に対しては無駄になってしまう。
【００４５】
《発明の実施形態２》
本発明の実施形態２について説明する。この実施形態２では、制御部（41）が行う脈動制御が、モータ（30）の軸出力トルクが平滑化されるようにモータ電流を脈動させる軸出力平滑制御である。モータ（30）の軸出力トルクは、この軸出力平滑制御を行わなければ、図５（Ａ）に示すように、例えばコギングトルク、空間高調波、時間高調波などのモータ（30）側の脈動成分がモータ（30）の電流出力トルクに加わるために脈動する。軸出力平滑制御は、このモータ（30）の軸出力トルクの脈動を抑制するための制御である。軸出力平滑制御では、モータ（30）側の脈動成分に応じてモータ電流を脈動させることにより、モータ（30）の電力出力トルクを脈動させる。
【００４６】
具体的に、モータ制御装置（10）は、図４に示すように、電力変換部（40）の構成が上記実施形態１と同じである。モータ制御装置（10）は、負荷トルク検出部（42）を備えておらず、その代わりにモータ位相検出部（45）を備えている。モータ位相検出部（45）は、電流検出部（43）に接続され、電流検出部（43）が検出するモータ電流に基づいてモータ（30）の位相を検出するように構成されている。なお、モータ位相検出部（45）は、モータ（30）の電圧値に基づいてモータ（30）の位相を検出するように構成されていてもよいし、モータ（30）に取り付けられる位相検出センサにより構成されていてもよい。
【００４７】
制御部（41）は、モータ（30）側の脈動成分に応じてモータ電流を脈動させるように構成されている。制御部（41）がモータ電流を脈動させると、図５（Ｂ）に示すように、モータ（30）側の脈動成分に応じてモータの電力出力トルクが脈動して、モータ（30）の軸出力トルクが平滑化される。
【００４８】
具体的に、制御部（41）は、モータ（30）の位相に応じたモータ電流の補正値をテーブルとして保持している。制御部（41）は、モータ位相検出部（45）から入力されるモータ（30）の位相を表す位相信号に基づいて、モータ電流の補正値をテーブルから読み出す。そして、制御部（41）は、テーブルから読み出した補正値に基づいて補正した駆動信号を各スイッチ素子（14）に出力する。これにより、モータ電流とモータ（30）の電流出力トルクとが、モータ（30）側の脈動成分に応じて脈動する。
【００４９】
−実施形態２の効果−
本実施形態２では、制御部（41）が、軸出力平滑制御を脈動制御として行う。このモータ制御装置（10）では、上述したように、スイッチ素子（14）がワイドバンドギャップ半導体素子であるため、スイッチ素子（14）のピーク定格電流を比較的大きくすることができる。従って、軸出力平滑制御においてモータ電流のピーク値を増大させることができるので、軸出力平滑制御の制御量を増大させることができる。
【００５０】
《発明の実施形態３》
本発明の実施形態３について説明する。この実施形態３は、図６に示すように、電力変換部（40）が、電圧を一定にするための平滑回路（22）を備えておらず、その代わりに小容量コンデンサ回路（29）を備えている。
【００５１】
小容量コンデンサ回路（29）は、整流回路（20）の出力側において正極母線と負極母線との間に接続されている。小容量コンデンサ回路（29）には、小容量コンデンサ（19）が設けられている。小容量コンデンサ（19）は、従来のモータ制御装置に用いるコンデンサに比べて容量が小さいコンデンサである。小容量コンデンサ（19）の容量は、例えば１μＦ〜５０μＦである。
【００５２】
この実施形態３のモータ制御装置（10）では、整流回路（20）とインバータ回路（25）との間のコンデンサの容量が小さく、電圧を一定にするためのコンデンサがないに等しいため、交流電源（31）から整流回路（20）を介して入力する脈動電流が、図７に示すように、ほとんど平滑化されずにインバータ回路（25）へ入力される。このため、インバータ回路（25）へ入力される電流の脈動成分がモータ電流に重畳され、モータ電流のピーク値が増大する。
【００５３】
−実施形態３の効果−
本実施形態３では、インバータ回路（25）に脈動電流が入力されるので、モータ電流に脈動電流の脈動成分が重畳される。このモータ制御装置（10）では、上述したように、スイッチ素子（14）がワイドバンドギャップ半導体素子であるため、スイッチ素子（14）のピーク定格電流を比較的大きくすることができる。従って、モータ電流のピーク値を増大させることができるので、モータ制御装置（10）の制御量を増大させることができる。
【００５４】
《その他の実施形態》
上記実施形態については、以下のような構成としてもよい。
【００５５】
上記実施形態について、スイッチ素子（14）は、Ｓｉ素子以外の他のワイドバンドギャップ半導体素子（例えばＧａＮ素子、ダイヤモンド素子）であってもよい。なお、ワイドギャップ半導体素子は、Ｓｉ素子に比べてバンドギャップが大きい半導体素子である。ワイドギャップ半導体素子は、少なくとも１．２ｅＶ以上、更には２．０ｅＶ以上のバンドギャップを有することが好ましい。
【００５６】
なお、以上の実施形態は、本質的に好ましい例示であって、本発明、その適用物、あるいはその用途の範囲を制限することを意図するものではない。
【産業上の利用可能性】
【００５７】
以上説明したように、本発明は、モータを流れる電流に脈動成分が重畳されるようにモータを制御するモータ制御装置について有用である。
【図面の簡単な説明】
【００５８】
【図１】本発明の実施形態１に係るモータ制御装置の概略構成図である。
【図２】本発明の実施形態１に係るモータ制御装置が接続されるモータを備える圧縮機の断面図である。
【図３】本発明の実施形態１に係るモータ制御装置のトルク制御を説明するための図表であり、（Ａ）はモータの負荷トルクの変動状況を表す図表であり、（Ｂ）はモータの出力トルクとモータの電流値の変動状況を表す図表である。
【図４】本発明の実施形態２に係るモータ制御装置の概略構成図である。
【図５】本発明の実施形態２に係るモータ制御装置の軸出力平滑制御を説明するための図表であり、（Ａ）は軸出力平滑制御を行わない場合の図表であり、（Ｂ）は軸出力平滑制御を行う場合の図表である。
【図６】本発明の実施形態３に係るモータ制御装置の概略構成図である。
【図７】本発明の実施形態３に係るモータ制御装置が接続されるモータの電流値の脈動状況を表すための図表である。
【符号の説明】
【００５９】
10  モータ制御装置
14  スイッチ素子
20  整流回路
25  インバータ回路
30  モータ
31  交流電源
41  制御部
【図１】
2008061421.tif 000003
【図２】
2008061421.tif 000004
【図３】
2008061421.tif 000005
【図４】
2008061421.tif 000006
【図５】
2008061421.tif 000007
【図６】
2008061421.tif 000008
【図７】
2008061421.tif 000009